(57)【要約】【課題】コネクター全体の使用空間を有効に節約するカード重畳コネクターの提供。【解決手段】カード重畳コネクターは、絶縁台、第一差込モジュール、第二差込モジュールから構成される。そのうち、絶縁台には第一納置部及び第二納置部を設置し、且つ第一納置部と第二納置部は第一差込モジュール及び第二差込モジュールに差し込んで定位する。更に第一差込モジュールと第二差込モジュールは交差層で重畳して設置される。【選択図】図２
0003124711.tif 000002
【実用新案登録請求の範囲】
【請求項１】
絶縁台、第一差込モジュール及び第二差込モジュールから構成されたカード重畳コネクターにおいて、
第一納置部及び第二納置部を設置し、且つ第一納置部及び第二納置部には各々複数の差込槽を設置する絶縁台と、
複数の導電端子ユニット及び遮蔽枠体を設置し、且つ複数の導電端子ユニットは絶縁台の第一納置部に設置した複数の差込槽内に差し込み、遮蔽枠体は導電端子ユニット上に被せ、遮蔽枠体上には少なくとも弾性腕及びメモリーカードを差し込む差込部を設置する第一差込モジュールと、
複数の導電端子ユニット及び遮蔽枠体を設置し、且つ複数の導電端子ユニットは絶縁台の第二納置部に設置した複数の差込槽内に差し込み、遮蔽枠体は導電端子ユニット上に可動式で被せ、遮蔽枠体上には少なくとも弾性腕及びメモリーカードを差し込む差込部を設置し、且つ第一差込モジュール上方に位置して第一差込モジュールと共に各々ポートが同じのメモリーカードを電気連接する第二差込モジュールを含むことを特徴とするカード重畳コネクター。
【請求項２】
請求項１記載のカード重畳コネクターにおいて、前記第一納置部は、両側に係止槽を設置し、且つ第一差込モジュールの遮蔽枠体には係止槽と対応して設置する係止部品を設置することを特徴とするカード重畳コネクター。
【請求項３】
請求項２記載のカード重畳コネクターにおいて、前記第一納置部の係止槽は、枢設部品を嵌合設置し、且つ遮蔽枠体の係止部品上に枢設し、遮蔽枠体を第一納置部上で回転開閉することを特徴とするカード重畳コネクター。
【請求項４】
請求項１記載のカード重畳コネクターにおいて、前記絶縁台の第一納置部は一側面に係止部品を設置することを特徴とするカード重畳コネクター。
【請求項５】
請求項１記載のカード重畳コネクターにおいて、前記第一差込モジュールの遮蔽枠体に設置した弾性腕は、メモリーカードを差込部に差し込む時、メモリーカード上で弾性押圧することを特徴とするカード重畳コネクター。
【請求項６】
請求項１記載のカード重畳コネクターにおいて、前記第二納置部は、その両側末端に係止槽を設置し、且つ第二差込モジュールの遮蔽枠体には係止槽と対応する係止部品を設置することを特徴とするカード重畳コネクター。
【請求項７】
請求項６記載のカード重畳コネクターにおいて、前記第二納置部の係止槽は、枢設部品を嵌合設置し、且つ遮蔽枠体の係止部品は枢設部品上に枢設し、遮蔽枠体によって第二納置部上で回転開閉することを特徴とするカード重畳コネクター。
【請求項８】
請求項１記載のカード重畳コネクターにおいて、前記絶縁台の第二納置部は、両側に複数の掛合槽を設置し、第二差込モジュールの遮蔽枠体の両側には複数の掛合部品を設置し、その掛合部品は掛合槽内に掛合して定位することを特徴とするカード重畳コネクター。
【請求項９】
請求項１記載のカード重畳コネクターにおいて、前記第二差込モジュールの遮蔽枠体に設置した弾性腕は、第二納置部に設置した停止部上で押さえ、遮蔽枠体を上へ一角度回転させ、メモリーカードを取り出すことを特徴とするカード重畳コネクター。
【請求項１０】
請求項１記載のカード重畳コネクターにおいて、前記第一差込モジュールは、第二差込モジュールと交差重畳して設置することを特徴とするカード重畳コネクター。
【考案の詳細な説明】
【技術分野】
【０００１】
本考案は、カード重畳コネクターに関するもので、コネクター上に第一差込モジュール及び第二差込モジュールを交差して重ね、且つ第一差込モジュールと第二差込モジュールは各々異なるメモリーカードに差し込んで電気連接するものである。
【背景技術】
【０００２】
今日、情報化社会に於いて、科学技術は日進月歩で進歩している。関連電子製品は軽薄短小を主軸としており、演算機能及び速度を具えている。そのためコネクターは設計上精密でなければならず、そのため如何に縮小するか、如何にカードコネクターの体積を小さくするかは、現在製造上、非常に重要な課題である。
【０００３】
この他、現在メモリーカードの使用は日々増えて一般的になり、且つ関連製品の軽薄短小化により、限られた空間内に多数のメモリーカードを入れる必要がある。そのため多数のメモリーカードを重畳方式によって設計することは避けられない状況である。
【０００４】
しかしながら、一般の単一差込式メモリーカードコネクターはコストが経済的であるが、重ねることができず、単一差込式メモリーカードコネクターの構造は、重畳方式によって多数カード差込型にしなければならない。材料を浪費し、空間が不足するという欠点がある。この他、公知の多数カード差込式コネクターは限られた使用空間に多数のメモリーカードを入れることを目的とするが、下述の問題がある。
１．の種の多層式構造は比較的複雑で、金型設計であるため、製造が難しく、メンテナンスにも費用がかかる。
２．この種のコネクターは、導電端子の企画が比較的難しく、その導電端子の設置及び関連冶具の設計も困難である。
３．単一にだけ適用するものは、仮に単一カード差込で使用した場合、その各層の間にも隙間を作ることになり、空間を無駄に使用することになる。
【考案の開示】
【考案が解決しようとする課題】
【０００５】
本考案の主な目的は、カード重畳コネクターを提供し、交差層に重畳して設置し、第一差込モジュール及び第二差込モジュールがコネクター内で有効に空間を使用することである。
【０００６】
上述の目的の為に、本考案は絶縁台、第一差込モジュール及び第二差込モジュールを含む。そのうち、絶縁台には第一納置部及び第二納置部を設置し、且つ第一差込モジュールと第二差込モジュールは、第一納置部と第二納置部内に各々設置する。更に第一差込モジュールと第二差込モジュールには各々遮蔽枠体が設置され、その遮蔽枠体上にはメモリーカードを差し込む差込部が設置され、第一差込モジュールと第二差込モジュールに各々異なるメモリーカードを差し込んで電気連接する。
【課題を解決するための手段】
【０００７】
請求項１の考案は、絶縁台、第一差込モジュール及び第二差込モジュールから構成されたカード重畳コネクターにおいて、
第一納置部及び第二納置部を設置し、且つ第一納置部及び第二納置部には各々複数の差込槽を設置する絶縁台と、
複数の導電端子ユニット及び遮蔽枠体を設置し、且つ複数の導電端子ユニットは絶縁台の第一納置部に設置した複数の差込槽内に差し込み、遮蔽枠体は導電端子ユニット上に被せ、遮蔽枠体上には少なくとも弾性腕及びメモリーカードを差し込む差込部を設置する第一差込モジュールと、
複数の導電端子ユニット及び遮蔽枠体を設置し、且つ複数の導電端子ユニットは絶縁台の第二納置部に設置した複数の差込槽内に差し込み、遮蔽枠体は導電端子ユニット上に可動式で被せ、遮蔽枠体上には少なくとも弾性腕及びメモリーカードを差し込む差込部を設置し、且つ第一差込モジュール上方に位置して第一差込モジュールと共に各々ポートが同じのメモリーカードを電気連接する第二差込モジュールを含むことを特徴とするカード重畳コネクターとしている。
請求項２の考案は、請求項１記載のカード重畳コネクターにおいて、前記第一納置部は、両側に係止槽を設置し、且つ第一差込モジュールの遮蔽枠体には係止槽と対応して設置する係止部品を設置することを特徴とするカード重畳コネクターとしている。
請求項３の考案は、請求項２記載のカード重畳コネクターにおいて、前記第一納置部の係止槽は、枢設部品を嵌合設置し、且つ遮蔽枠体の係止部品上に枢設し、遮蔽枠体を第一納置部上で回転開閉することを特徴とするカード重畳コネクターとしている。
請求項４の考案は、請求項１記載のカード重畳コネクターにおいて、前記絶縁台の第一納置部は一側面に係止部品を設置することを特徴とするカード重畳コネクターとしている。
請求項５の考案は、請求項１記載のカード重畳コネクターにおいて、前記第一差込モジュールの遮蔽枠体に設置した弾性腕は、メモリーカードを差込部に差し込む時、メモリーカード上で弾性押圧することを特徴とするカード重畳コネクターとしている。
請求項６の考案は、請求項１記載のカード重畳コネクターにおいて、前記第二納置部は、その両側末端に係止槽を設置し、且つ第二差込モジュールの遮蔽枠体には係止槽と対応する係止部品を設置することを特徴とするカード重畳コネクターとしている。
請求項７の考案は、請求項６記載のカード重畳コネクターにおいて、前記第二納置部の係止槽は、枢設部品を嵌合設置し、且つ遮蔽枠体の係止部品は枢設部品上に枢設し、遮蔽枠体によって第二納置部上で回転開閉することを特徴とするカード重畳コネクターとしている。
請求項８の考案は、請求項１記載のカード重畳コネクターにおいて、前記絶縁台の第二納置部は、両側に複数の掛合槽を設置し、第二差込モジュールの遮蔽枠体の両側には複数の掛合部品を設置し、その掛合部品は掛合槽内に掛合して定位することを特徴とするカード重畳コネクターとしている。
請求項９の考案は、請求項１記載のカード重畳コネクターにおいて、前記第二差込モジュールの遮蔽枠体に設置した弾性腕は、第二納置部に設置した停止部上で押さえ、遮蔽枠体を上へ一角度回転させ、メモリーカードを取り出すことを特徴とするカード重畳コネクターとしている。
請求項１０の考案は、請求項１記載のカード重畳コネクターにおいて、前記第一差込モジュールは、第二差込モジュールと交差重畳して設置することを特徴とするカード重畳コネクターとしている。
【考案の効果】
【０００８】
本考案のカード重畳コネクターは、コネクター全体の使用空間を有効に節約することを最も主要な特徴とするという利点がある。
【考案を実施するための最良の形態】
【０００９】
図１、２に示すとおり、本考案は絶縁台１、第一差込モジュール２及び第二差込モジュールから構成される。そのうち、絶縁台１は、第一納置部１１及び第二納置部１２を設置し、且つ第一納置部１１及び第二納置部１２にはそれぞれ複数の差込槽１１１、１２１を設置する。更に第一納置部１１の両側は係止槽１１２及び係止部品１１３を設置し、第二納置部の両側末端には係止槽１２２及び停止部１２３を設置し、第二納置部１２両側には同時に複数の掛合槽１２４を設置する。
【００１０】
第一差込モジュール２は、複数の導電端子ユニット２１及び遮蔽枠体２２を設置し、遮蔽枠体２２上には少なくとも弾性腕２２１及び差込部２２２を設置し、且つこの遮蔽枠体２２は差込部２２２に相対する別一側面に係止部品２２３を設置する。
【００１１】
第二差込モジュール３は、複数の導電端子ユニット３１及び遮蔽枠体３２を設置し、その遮蔽枠体３２上には少なくとも弾性腕３２１及び差込部３２２を設置し、且つ遮蔽枠体は差込部３２２に相対する別一面に係止部品３２３を設置し、遮蔽枠体３２両側には複数の掛合部品３２４を設置する。
【００１２】
上述の部品を組み立てる時、先ず、第一差込モジュール２及び第二差込モジュール３の導電端子ユニット２１、３１を各々絶縁台１の第一納置部及び第二納置部１２に設置した差込槽１１１、１２１内に差し込む。続いて第一差込モジュール２及び第二差込モジュール３の遮蔽枠体２２、３２上に設置した係止部品２２３、３２３を絶縁台１の第一納置部１１及び第二納置部１２に設置した係止槽１１２、１２２内に各々枢設する。そして遮蔽枠体２２、３２を絶縁台１に対して適する角度で回転させる。しかし、上述の第二差込モジュール３の遮蔽枠体３２に設置した弾性腕３２１は、第二納置部１２の停止部１２３上で止まり、またこの弾性腕３２１の湾曲角度は使用者の必要に応じて調整しなければならない。遮蔽枠体３２と弾性腕の角度が大きければ大きいほど回転角度も大きくなり、反対ではより小さくなる。この他、本考案の遮蔽枠体２２、３２の係止部品２２３、３２３と係止槽１１２、１２２の間は、枢設部品４により予め枢設定位しているので、実際に応用する時には枢設部品４によって係止部品２２３、３２３を係止槽１１２、１２２内に枢設する。
【００１３】
図３、４は、本考案にメモリーカードを差し込む前とメモリーカードを差し込んだ時の実施例図である。本考案を組み立てて使用する時、第一差込モジュール２と第二差込モジュール３は層が重なり交差して設置される。使用者は予め設置したメモリーカード５を順に遮蔽枠体２２、３２の差込部２２２、３２２内に入れる。この時、図５に示すとおり、第一差込モジュール２の遮蔽枠体２２に設置した弾性腕２２１はメモリーカード５を押さえ、第一差込モジュールの遮蔽枠体２２を下向きに回転させ、第一納置部１１の係止部品１１３をメモリーカード５上で弾性挟持して定位し、メモリーカードを導電端子ユニット２１と電気連接する。更に図６に示すとおり、第二差込モジュール３の遮蔽枠体３２に設置した差込部３２２は別のメモリーカード６を差し込んだ後、同様に下向きに回転し、且つ遮蔽枠体３２は下向きに回転したと同時に遮蔽枠体３２の両側に設置した複数の掛合部品３２４が第二納置部１２の複数の掛合槽１２４内に掛合されて定位する。更にメモリーカード６は同様に導電端子ユニット３１と電気連接する。本考案の上述の構造を使用する時、カード差込もしくはカード取出しに係わらず、先ず第二差込モジュール３の遮蔽枠体３２を開いた後、第一差込モジュール２の遮蔽枠体２２を開き、且つ第一差込モジュール２と第二差込モジュール３は交差層で重畳して設置するため、差込動作の時、カードの差込ミスや干渉が発生するのを防止する。
【図面の簡単な説明】
【００１４】
【図１】本考案の立体外観図である。
【図２】本考案の立体分解図である。
【図３】本考案のメモリーカード差込前の実施例図である。
【図４】本考案のメモリーカード差込時の実施例図である。
【図５】本考案の正面断面図である。
【図６】本考案の側面断面図である。
【符号の説明】
【００１５】
１        絶縁台
１１        第一納置部
１１１        差込槽
１１２        係止槽
１１３        係止部品
１２        第二納置部
１２１        差込槽
１２２        係止槽
１２３        停止部
１２４        掛合槽
２        第一差込モジュール
２１        導電端子ユニット
２２        遮蔽枠体
２２１        弾性腕
２２２        差込部
２２３        係止部品
３        第二差込モジュール
３１        導電端子ユニット
３２        遮蔽枠体
３２１        弾性腕
３２２        差込部
３２３        係止部品
３２４        掛合部品
４        枢設部品
５        メモリーカード
６        メモリーカード
【図１】
0003124711.tif 000003
【図２】
0003124711.tif 000004
【図３】
0003124711.tif 000005
【図４】
0003124711.tif 000006
【図５】
0003124711.tif 000007
【図６】
0003124711.tif 000008